(57)【特許請求の範囲】
【請求項１】
内部に洗浄水を噴射する洗浄ノズルを設けた洗浄槽と、前記洗浄槽内に収納し食器を収納するかごと、前記かごの上部に設けた食器収納用の第１の棚部と第２の棚部とを備え、前記第１の棚部は前記かごに回転可能に支持するとともに、前記第２の棚部は、前記第１の棚部に挿入して、前記第１の棚部が前方に回転して開いた状態において、前記第１の棚部に対して前後方向に摺動可能に構成した食器洗い機。
【請求項２】
第２の棚部が第１の棚部に対し複数の位置で停止可能となるよう構成した請求項１記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転する洗浄ノズルから噴射される洗浄水によってかごに収納された食器を洗浄する食器洗い機が主流となっている。
【０００３】
従来、この種の食器洗い機は図６に示すように構成していた。以下、その構成について説明する。
【０００４】
図に示すように、洗浄槽１は、前方に開口部を有し、この開口部を扉２により開閉するとともに、内部に洗浄水を噴射する洗浄ノズル３を回転自在に設けている。洗浄槽１内に食器４収納するかご５を収納し、このかご５の上部に食器収納用の棚部６を設けている。図６は扉２を閉じた状態を示しており、図の左側が食器洗い機の前方側、右側が後方側である。扉２の開時には、かご５は扉２上と洗浄槽１との間を前後方向に移動可能であり、棚部６は両端を回転中心としてかご５に対して回転可能としている。
【０００５】
洗浄槽１内の洗浄水はヒータ７によって温水化され、洗浄ポンプ８にて排水口９から吸い込まれ、洗浄ノズル３に圧送される。そして、回転する洗浄ノズル３より勢いよく噴射される洗浄水によって、かご５および棚部６に収納された食器４を洗浄するように構成している。
【０００６】
【発明が解決しようとする課題】
このような従来の食器洗い機においては、食器４を棚部６にセットする場合、扉２を開いて扉２上にかご５全体を引き出し、棚部６を食器４をセットできる状態にして食器４をセットするという動作が要求される。また、かご５の前方側にセットする食器４の大きさが小さい場合には、棚部６の前方の空間部分が無駄な空間となり、食器４の収納量の低下の要因となっている。
【０００７】
本発明は上記課題を解決するもので、食器を棚部にセットするときにかごの操作を簡素にすることを第１の目的としている。
【０００８】
また、棚部の下方に収納する食器のセット性を向上させることを第２の目的としている。
【０００９】
また、棚部の前方の空間部分に食器をセットすることを可能にし、食器収納量を増やすことを第３の目的としている。
【００１０】
【課題を解決するための手段】
本発明の食器洗い機は、洗浄槽の内部に洗浄水を噴射する洗浄ノズルを設け、この洗浄槽内に食器を収納するかごを収納し、このかごの上部に食器収納用の第１の棚部をかごに回転可能に設け、この第１の棚部に第２の棚部を挿入して、第１の棚部に対して前後方向に摺動可能に構成したものである。
【００１１】
これにより、棚部の前方の空間部分に食器をセットすることができ、食器収納量を増やすことができる。また、棚部の下方に収納する食器のセット性を向上させることができる。
【００１２】
【発明の実施の形態】
請求項１に記載の発明は、内部に洗浄水を噴射する洗浄ノズルを設けた洗浄槽と、前記洗浄槽内に収納し食器を収納するかごと、前記かごの上部に設けた食器収納用の第１の棚部と第２の棚部とを備え、前記第１の棚部は前記かごに回転可能に支持するとともに、前記第２の棚部は、前記第１の棚部に挿入して、前記第１の棚部が前方に回転して開いた状態において、前記第１の棚部に対して前後方向に摺動可能に構成したものであり、かごの前方側にセットする食器の大きさが小さい場合には、第２の棚部を前方へ引き出すことにより、従来は空間であった部分に食器をセットすることができ、かごの前方側にセットする食器の大きさが大きい場合には、第２の棚部を第１の棚部上に収納状態にして使用できるため、従来の使用勝手を損なうことなく食器の収納量を増やすことができる。
【００１３】
請求項２に記載の発明は、上記請求項１に記載の発明において、第２の棚部が第１の棚部に対し複数の位置で停止可能となるよう構成したものであり、かごの前方側にセットする食器の大きさが大きい場合でも、食器に干渉しない限界の位置まで第２の棚部を引き出すことが可能となり、より有効に第２の棚部を活用することができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、かご１０は、洗浄槽１内に収納し、食器４を収納するもので、後部上方に、食器収納用の棚部１１の前方側を支持する支持用線材１２と、棚部１１の後方側を支持するとともに前後方向に移動可能とする摺動用線材１３を設けている。棚部１１は、前方側を支持用線材１２によって支持され、後方側を摺動用線材１３により支持され、さらに摺動用線材１３によって前後方向に移動可能である。他の構成は従来例と同じである。
【００１６】
上記構成において作用を説明すると、棚部１１に食器４をセットする場合、かご１０を開いた扉２上へ引き出すことなく、棚部１１のみを前方へ引き出して食器４をセットすることができるため、食器４セット時のかごの操作を簡素にすることができる。また、棚部１１の後方には食器４を支持する線材１４が一体に形成しており、かご１０の後方の線材の形状に依存することなく棚部１１に食器４をセットすることができる。
【００１７】
（実施例２）
図２に示すように、かご１５は、洗浄槽１内に収納し、食器４を収納するもので、扉２の開時に扉２上と洗浄槽１との間を前後方向に移動可能な構成としている。食器収納用の棚部１６は、かご１５の外枠の後方上部の線材を回転中心として回転可能にかご１５の上部に設け、棚部１６が前方側へ開いた状態で後方から前方へ向かって上昇する傾斜を有するようかご１５によって支持するように構成している。洗浄槽１の開口部の両端上方にガイド１７を取り付けている。他の構成は上記実施例１と同じである。
【００１８】
上記構成において作用を説明すると、かご１５を扉２上へ引き出したときは、棚部１６はかご１５の外枠の後方上部の線材を回転中心として回転可能であり、棚部１６が前方側へ開いた状態で、後方から前方へ向かって上昇する傾斜を有するようかご１５によって支持されているため、かご１５を扉２上に引き出すときに棚部１６の両端とガイド１７が当接することにより、棚部１６の前方側が徐々に上方へ持ち上げられる。また、かご１５洗浄槽１内へ押し入れるときには、棚部１６が自然落下により下方へ下がり、洗浄槽１内へ収納される。
【００１９】
したがって、かご１５を扉２上へ引き出したときには、棚部１６とかご１５との間の空間が広がるため、棚部１６の下方への食器４のセットが容易となり、また、棚部１６を上方に位置させて食器４のセットができるため、棚部１６への食器４のセットが自然体で行うことができる。
【００２０】
（実施例３）
図３に示すように、棚部１８は、かご１５の後方上部に設け、弾性を有しており、棚部１８の上方の部分が洗浄槽１の天面に圧接するよう構成している。他の構成は上記実施例２と同じである。
【００２１】
上記構成において作用を説明すると、かご１５が洗浄槽１内に収納されている状態では、棚部１８の両端が有する弾性力によって棚部１８の前方側の線材が洗浄槽１の天面に圧接されており、かご１５を扉２上に引き出す動作によって、棚部１８の両端が弾性によって洗浄槽１の天面に圧接された状態から開放されるため、棚部１８が上方へ持ち上げられ、かご１５を洗浄槽１内へ押し入れるときには棚部１８の前方側が下方へ押し下げられ洗浄槽１内へ収納される。
【００２２】
（実施例４）
図４に示すように、食器収納用の第１の棚部１９は、かご１０の上部に設けている。第２の棚部２０は、左右の線材の後方側に輪形状を有し、第１の棚部１９の前方側の線材の両端を輪形状に挿入し、第１の棚部１９に対して回転可能な構成となっている。他の構成は上記実施例１と同じである。
【００２３】
上記構成において作用を説明すると、かご１０の前方側にセットする食器４の大きさが小さい場合には、第２の棚部２０を展開状態にして、従来は空間であった部分に食器４をセットすることができ、かご１０の前方側にセットする食器４の大きさが大きい場合には、第２の棚部２０を第１の棚部１９の上に収納状態にして使用できるため、従来の使用勝手を損なうことなく食器４の収納量を増やすことができる。
【００２４】
（実施例５）
図５に示すように、食器収納用の第１の棚部２１は、かご１０の上部に設け、この第１の棚部２１の左右両端の線材はその内側を線材が摺動可能な長円を形成しており、その内側に第２の棚部２２の線材を挿入し、第２の棚部２２を第１の棚部２１に対して前後方向に移動可能となるよう構成している。また、第１の棚部２１の左右両端の線材の下側は複数の凸形状２３を設け、第２の棚部２２の後方への滑りを防止するとともに、複数の凸形状２３の中の任意の位置に第２の棚部２２を固定できるように構成している。他の構成は上記実施例１と同じである。
【００２５】
上記構成において作用を説明すると、かご１０の前方側にセットする食器４の大きさが小さい場合には、第２の棚部２２を前方へ引き出すことにより、従来は空間であった部分に食器４をセットすることができ、かご１０の前方側にセットする食器４の大きさが大きい場合には、第２の棚部２２を第１の棚部２１の上に収納状態にして使用できるため、従来の使用勝手を損なうことなく食器の収納量を増やすことができる。
【００２６】
また、かご１０の前方側にセットする食器４の大きさが大きい場合でも、食器４に干渉しない限界の位置まで第２の棚部２２を引き出し、複数の凸形状２３の中の任意の位置に第２の棚部２２を固定して使用することができ、より有効に第２の棚部２２を活用することができる。
【００２７】
【発明の効果】
請求項１に記載の発明によれば、内部に洗浄水を噴射する洗浄ノズルを設けた洗浄槽と、前記洗浄槽内に収納し食器を収納するかごと、前記かごの上部に設けた食器収納用の第１の棚部と第２の棚部とを備え、前記第１の棚部は前記かごに回転可能に支持するとともに、前記第２の棚部は、前記第１の棚部に挿入して、前記第１の棚部が前方に回転して開いた状態において、前記第１の棚部に対して前後方向に摺動可能に構成したから、かごの前方側に大きい食器をセットする場合には、第１の棚部と第２の棚部とを重ねて使用できるため、従来の使用勝手を損なうことがなく、また、かごの前方側に小さい食器をセットする場合には、かごの前方側上方の空間部分を食器の収納に活用することが可能になり、食器収納量を増やすことができる。
【００２８】
また、請求項２に記載の発明によれば、第２の棚部が第１の棚部に対し複数の位置で停止可能となるよう構成したから、かごの前方側にセットする食器の大きさが大きい場合でも、食器に干渉しない限界の位置まで第２の棚部を引き出すことが可能となり、より有効に第２の棚部およびかご前方側の上方の空間を活用することができる。
【図面の簡単な説明】
【図１】本発明の第１の実施例の食器洗い機の縦断面図
【図２】本発明の第２の実施例の食器洗い機のかごを洗浄槽内に収納した状態と引き出した状態とを示す縦断面図
【図３】本発明の第３の実施例の食器洗い機のかごを洗浄槽内に収納した状態と引き出した状態とを示す縦断面図
【図４】本発明の第４の実施例の食器洗い機の縦断面図
【図５】本発明の第５の実施例の食器洗い機の縦断面図
【図６】従来の食器洗い機の縦断面図
【符号の説明】
１  洗浄槽
３  洗浄ノズル
４  食器
１０  かご
１１  棚部
【図１】
0003610670.tif 000002
【図２】
0003610670.tif 000003
【図３】
0003610670.tif 000004
【図４】
0003610670.tif 000005
【図５】
0003610670.tif 000006
【図６】
0003610670.tif 000007